【手続補正書】
【提出日】平成29年8月31日(2017.8.31)
【手続補正１】
【補正対象書類名】特許請求の範囲
【補正対象項目名】全文
【補正方法】変更
【補正の内容】
【特許請求の範囲】
【請求項１】
空気流入口及び空気排出口を有するケースと、
前記空気流入口と隣接して配置される送風機と、
前記ケースの内部に配置されるフィルタ部と、
前記送風機と前記フィルタ部との間に配置され、前記送風機の吐出口から排出された空気の流動形態を制御する流体制御構造物と、
を備えることを特徴とする空気浄化装置。
【請求項２】
前記流体制御構造物は、前記送風機の吐出口より空気が流入される一端と、流入された空気が排出される他端を含み、
前記一端の断面積は、前記他端の断面積より小さいことを特徴とする請求項１に記載の空気浄化装置。
【請求項３】
前記流体制御構造物は、前記空気が流動する通路を形成するために互いに接続されている一側面と他側面を備えることを特徴とする請求項１に記載の空気浄化装置。
【請求項４】
前記流体制御構造物の一側面と他側面は、前記送風機の吐出口から前記ケースの内壁の方向に延在する第１の導管部を備えることを特徴とする請求項３に記載の空気浄化装置。
【請求項５】
前記流体制御構造物の一側面と他側面のうち、少なくとも一つは、第２の導管部をさらに備え、
前記第２の導管部は、一端が前記第１の導管部と接続され、他端が前記フィルタ部の方向に延在することを特徴とする請求項４に記載の空気浄化装置。
【請求項６】
前記第１の導管部及び前記第２の導管部と接続され、前記ケースの内壁と平行な方向に延在する第３の導管部をさらに備えることを特徴とする請求項５に記載の空気浄化装置。
【請求項７】
前記第２の導管部は、前記一端よりも前記他端がケースの内壁に近いことを特徴とする請求項５に記載の空気浄化装置。
【請求項８】
前記第２の導管部は、前記一端よりも前記他端がケースの内壁から離れていることを特徴とする請求項５に記載の空気浄化装置。
【請求項９】
前記流体制御構造物の一側面と他側面のうち、少なくとも一部は、曲線形であることを特徴とする請求項３に記載の空気浄化装置。
【請求項１０】
前記流体制御構造物の内部に配置され、前記ケースの内壁と平行な部分を有するように配置される制御構造物をさらに備えることを特徴とする請求項１に記載の空気浄化装置。
【請求項１１】
前記制御構造物は、少なくとも一部が曲線形であることを特徴とする請求項１０に記載の空気浄化装置。
【請求項１２】
前記流体制御構造物の内部のうち前記送風機と前記フィルタ部との間に配置され、紫外線を放出する紫外線発光ダイオード部をさらに備えることを特徴とする請求項１に記載の空気浄化装置。
【請求項１３】
前記紫外線発光ダイオード部は、前記フィルタ部の表面を基準にして斜めに配置されることを特徴とする請求項１１に記載の空気浄化装置。
【請求項１４】
前記流体制御構造物と前記フィルタ部との間に配置され、紫外線を放出する紫外線光源部をさらに備えることを特徴とする請求項１に記載の空気浄化装置。
【請求項１５】
前記ケースの空気排出口の断面積は、前記フィルタ部の断面積より小さいことを特徴とする請求項１に記載の空気浄化装置。
【請求項１６】
空気流入口及び空気排出口を有するケースと、
前記空気流入口と隣接して配置される送風機と、
前記送風機と隣接して配置されるフィルタ部と、
前記フィルタ部と前記ケースの空気排出口との間に配置され、前記フィルタ部から排出された空気の流動形態を制御する流体制御構造物と、
を備えることを特徴とする空気浄化装置。
【請求項１７】
前記ケースの空気排出口の断面積は、前記フィルタ部の断面積より小さいことを特徴とする請求項１６に記載の空気浄化装置。
【請求項１８】
前記流体制御構造物の一端は、前記フィルタ部の空気が排出される表面の縁と隣接し、他端は前記ケールの空気排出口と隣接するように配置され、
前記流体制御構造物の前記一端の断面積が前記他端の断面積より大きいことを特徴とする請求項１７に記載の空気浄化装置。
【請求項１９】
空気流入口及び空気排出口を備えるケースと、
前記空気流入口と隣接して配置される送風機と、
前記送風機の前記ケースの空気排出口との間に配置され、前記送風機の吐出口から排出された空気が通過するフィルタ部と、
前記送風機と前記フィルタ部との間に配置された第１の流体制御構造物と、
前記フィルタ部と前記ケースの空気排出口との間に配置された第２の流体制御構造物と、を備え、
前記送風機から排出された空気が、前記第１の流体制御構造物、前記フィルタ部、前記第２の流体制御構造物からなる流路を介して前記ケースの空気排出口で排出されることを特徴とする空気浄化装置。
【請求項２０】
前記送風機の吐出口の断面積は、前記フィルタ部の断面積より小さいことを特徴とする請求項１９に記載の空気浄化装置。
【請求項２１】
前記第１の流体制御構造物は、一端が前記送風機の吐出口と隣接し、他端が前記フィルタ部の表面の縁と隣接しており、
前記第１の流体制御構造物は、前記一端の断面積が前記他端の断面積より小さいことを特徴とする請求項１９に記載の空気浄化装置。
【請求項２２】
前記ケースの空気排出口の断面積は、前記フィルタ部の断面積より小さいことを特徴とする請求項１９に記載の空気浄化装置。
【請求項２３】
前記第２の流体制御構造物は、一端が前記フィルタ部の空気が排出される表面の縁と隣接し、他端が前記ケースの空気排出口と隣接しており、
前記第２の流体制御構造物の前記一端の断面積が前記他端の断面積より大きいことを特徴とする請求項２２に記載の空気浄化装置。
【請求項２４】
前記第１の流体制御構造物の内部には、紫外線を放出する紫外線発光ダイオード部をさらに備えることを特徴とする請求項１９に記載の空気浄化装置。
【請求項２５】
前記紫外線発光ダイオード部は、前記フィルタ部の表面を基準にして斜めに配置されることを特徴とする請求項２４に記載の空気浄化装置。
【請求項２６】
前記第１の流体制御構造物の内部に配置され、前記ケースの内壁と平行な部分を有するように配置される制御構造物をさらに備えることを特徴とする請求項１９に記載の空気浄化装置。
【請求項２７】
前記制御構造物は、少なくとも一部が曲線形であることを特徴とする請求項２６に記載の空気浄化装置。
【請求項２８】
空気流入口及び空気排出口を有するケースと、
前記空気流入口と隣接して配置される送風機と、
前記送風機と隣接して配置される紫外線光源部と、
前記送風機と前記ケースの空気排出口との間に配置され、前記送風機の吐出口から排出された空気の流動形態を制御する流体制御構造物と、
を備えることを特徴とする空気浄化装置。
【請求項２９】
前記流体制御構造物は、前記空気が流動する通路を形成するために互いに接続されている一側面と他側面を備えることを特徴とする請求項２８に記載の空気浄化装置。
【請求項３０】
前記流体制御構造物の一側面と他側面は、前記送風機の吐出口から前記ケースの内壁の方向に延在する第１の導管部を備えることを特徴とする請求項２９に記載の空気浄化装置。
【請求項３１】
前記流体制御構造物の一側面と他側面のうち、少なくとも一つは、第２の導管部をさらに備え、
前記第２の導管部は、一端が前記第１の導管部と接続され、他端が前記フィルタ部の方向に延在することを特徴とする請求項３０に記載の空気浄化装置。
【請求項３２】
前記第１の導管部及び前記第２の導管部と接続され、前記ケースの内壁と平行な方向に延在する第３の導管部をさらに備えることを特徴とする請求項３１に記載の空気浄化装置。
【請求項３３】
前記第２の導管部は、前記一端よりも前記他端がケースの内壁に近いことを特徴とする請求項３１に記載の空気浄化装置。
【請求項３４】
前記第２の導管部は、前記一端よりも前記他端がケースの内壁から離れていることを特徴とする請求項３１に記載の空気浄化装置。
【請求項３５】
前記流体制御構造物の一側面と他側面のうち、少なくとも一部は、 曲線形であることを特徴とする請求項２９に記載の空気浄化装置。
【手続補正２】
【補正対象書類名】明細書
【補正対象項目名】００３２
【補正方法】変更
【補正の内容】
【００３２】
図３は、本発明の一実施形態に係る紫外線光源部を概略的に示した平面図である。図３に示すように、紫外線光源部２１０は、内部に通気孔２１６を有する印刷回路基板２１１を備える。印刷回路基板２１１上には、殺菌用の紫外線発光ダイオード２１２及び光触媒用の紫外線発光ダイオード２１３が配置される。殺菌用の紫外線発光ダイオード２１２及び光触媒用の紫外線発光ダイオード２１３は、図示されたように、互いに交差するように印刷回路基板２１１上に配列されるが、必ずこれに限定されるものではなく、様々な配列が可能である。